(57)【要約】【課題】利用者がショートメッセージの内容に対し応答しやすくすることができるショートメッセージ送信サーバ等を提供する。【解決手段】利用者電話番号取得部１０４は利用者の操作する携帯端末装置３００による着信から携帯端末装置３００の電話番号を取得し、確認情報取得部１０６は携帯端末装置３００の電話番号に対応付けられた確認情報および確認処理実行ページのＵＲＬを確認情報記憶部１１０から取得し、確認情報判断部１０７は確認情報に基づき利用者に確認すべき情報があるか否かを判断し、確認ＳＭ生成部１０８は確認すべき情報があると判断した場合に、携帯端末装置３００の電話番号に対応付けられたＵＲＬを含むショートメッセージである確認ショートメッセージを生成し、通信制御部１０１は確認ショートメッセージを携帯端末装置３００の電話番号を宛先として送信する。【選択図】図１
2019086920.tif 000002
【特許請求の範囲】
【請求項１】
利用者の操作する携帯端末装置の電話番号と、確認情報と、確認処理実行ページのＵＲＬと、を対応付けて記憶する確認情報記憶手段と、
前記携帯端末装置による着信から前記携帯端末装置の電話番号を取得する利用者電話番号取得手段と、
前記携帯端末装置の電話番号に対応付けられた前記確認情報および前記ＵＲＬを前記確認情報記憶手段から取得する確認情報取得手段と、
前記確認情報取得手段によって取得した前記確認情報に基づき前記利用者に確認すべき情報があるか否かを判断する確認情報判断手段と、
前記確認情報判断手段によって前記確認すべき情報があると判断した場合に、前記携帯端末装置の電話番号に対応付けられた前記ＵＲＬを含むショートメッセージである確認ショートメッセージを生成する確認ショートメッセージ生成手段と、
前記確認ショートメッセージ生成手段によって生成した前記確認ショートメッセージを前記携帯端末装置の電話番号を宛先として送信する確認ショートメッセージ送信手段と、
を備えることを特徴とするショートメッセージ送信サーバ。
【請求項２】
利用者の操作する携帯端末装置による着信から前記携帯端末装置の電話番号を取得する電話番号取得手段と、
前記携帯端末装置の電話番号に対応付けられた確認情報を確認要求サーバに問合せする確認情報問合手段と、
前記確認情報問合手段によって問合せた前記確認情報に基づき前記利用者に確認すべき情報があるか否かを判断する確認情報判断手段と、
前記確認すべき情報に応じた確認処理実行ページのＵＲＬを確認処理実行サーバから取得するＵＲＬ取得手段と、
前記ＵＲＬ取得手段によって取得した前記ＵＲＬを含むショートメッセージである確認ショートメッセージを生成する確認ショートメッセージ生成手段と、
前記確認ショートメッセージ生成手段によって生成した前記確認ショートメッセージを前記携帯端末装置の電話番号を宛先として送信する確認ショートメッセージ送信手段と、を備え、
前記確認ショートメッセージ生成手段は、前記確認情報判断手段によって前記確認すべき情報があると判断した場合に、前記確認ショートメッセージを生成すること、
を特徴とするショートメッセージ送信サーバ。
【請求項３】
前記確認情報判断手段によって前記確認すべき情報があると判断した場合に、前記確認すべき情報がある旨、および、前記確認ショートメッセージを送信する旨を前記携帯端末装置に自動音声で応答し、
前記確認情報判断手段によって前記確認すべき情報がないと判断した場合に、前記確認すべき情報がない旨を前記携帯端末装置に自動音声で応答する自動音声応答手段、をさらに備えることを特徴とする請求項１または請求項２に記載のショートメッセージ送信サーバ。
【請求項４】
前記自動音声応答手段は、前記携帯端末装置から発信したコールセンターへの通話から接続されること、を特徴とする請求項３に記載のショートメッセージ送信サーバ。
【請求項５】
前記ショートメッセージ送信サーバに着信する電話番号を含むショートメッセージである通知ショートメッセージを生成する通知ショートメッセージ生成手段と、
前記通知ショートメッセージ生成手段によって生成した前記通知ショートメッセージを前記宛先に送信する通知ショートメッセージ送信手段と、をさらに備えること、を特徴とする請求項１〜４のいずれか１つに記載のショートメッセージ送信サーバ。
【請求項６】
前記確認情報は、前記携帯端末装置の電話番号に対応付けられた支払い金額と、前記支払情報が支払い済みか未払いかである情報を含むこと、を特徴とする請求項１〜５のいずれか１つに記載のショートメッセージ送信サーバ。
【請求項７】
前記確認情報は、前記携帯端末装置の電話番号に対応付けられた契約情報と前記契約情報を確認したか未確認かである情報を含むこと、を特徴とする請求項１〜５のいずれか１つに記載のショートメッセージ送信サーバ。
【請求項８】
前記確認ショートメッセージ生成手段は、前記確認メッセージに加えて、オプトアウトメッセージを生成し、
前記確認ショートメッセージ送信手段は、前記確認メッセージに加えて、オプトアウトメッセージを送信すること、を特徴とする請求項１〜７のいずれか１つに記載のショートメッセージ送信サーバ。
【請求項９】
前記ショートメッセージは、ＳＭＳ（Short Message Service）、ＭＭＳ（Multimedia Messaging Service）、ＲＣＳ（Rich Communication Service）を用いて送信されること、を特徴とする請求項１〜８のいずれか１つに記載のショートメッセージ送信サーバ。
【請求項１０】
ショートメッセージ送信サーバと、利用者の操作する携帯端末装置とをネットワークを介して接続するショートメッセージ送信システムにおいて、
前記ショートメッセージ送信サーバは、
前記携帯端末装置の電話番号と、確認情報と、確認処理実行ページのＵＲＬと、を対応付けて記憶する確認情報記憶手段と、
前記携帯端末装置による着信から前記携帯端末装置の電話番号を取得する利用者電話番号取得手段と、
前記携帯端末装置の電話番号に対応付けられた前記確認情報および前記ＵＲＬを前記確認情報記憶手段から取得する確認情報取得手段と、
前記確認情報取得手段によって取得した前記確認情報に基づき前記利用者に確認すべき情報があるか否かを判断する確認情報判断手段と、
前記確認情報判断手段によって前記確認すべき情報があると判断した場合に、前記携帯端末装置の電話番号に対応付けられた前記ＵＲＬを含むショートメッセージである確認ショートメッセージを生成する確認ショートメッセージ生成手段と、
前記確認ショートメッセージ生成手段によって生成した前記確認ショートメッセージを前記携帯端末装置の電話番号を宛先として送信する確認ショートメッセージ送信手段と、を備え、
前記携帯端末装置は、
前記確認ショートメッセージを前記ショートメッセージ送信サーバから受信する確認ショートメッセージ受信手段と、
前記確認ショートメッセージ受信手段によって受信した前記確認ショートメッセージに含まれる前記ＵＲＬの指示を受付けるＵＲＬ受付手段と、
前記ＵＲＬ受付手段によって前記ＵＲＬの指示を受付けた場合、前記ＵＲＬを指示した旨を前記ショートメッセージ送信サーバに送信するＵＲＬ指示送信手段と、を備え、
前記ショートメッセージ送信サーバは、
前記ＵＲＬを指示した旨を前記携帯端末装置から受信するＵＲＬ指示受信手段と、
前記ＵＲＬを指示した旨を指示情報として前記携帯端末装置の電話番号に対応付けて前記確認情報記憶手段に格納する格納手段と、
を備えることを特徴とするショートメッセージ送信システム。
【請求項１１】
前記携帯端末装置は、
前記ＵＲＬ受付手段に代えて、または加えて、前記ＵＲＬで処理を実行するＵＲＬ処理実行手段と、
前記ＵＲＬ処理実行手段によって前記ＵＲＬで処理を実行した場合、前記ＵＲＬで実行した処理が完了した旨を前記ショートメッセージ送信サーバに送信するＵＲＬ処理送信手段と、を備え、
前記ショートメッセージ送信サーバは、
前記ＵＲＬで実行した処理が完了した旨を前記携帯端末装置から受信するＵＲＬ処理受信手段、を備え、
前記格納手段が、前記ＵＲＬで実行した処理が完了した旨を完了情報として前記携帯端末装置の電話番号に対応付けて前記確認情報記憶手段に格納すること、を特徴とする請求項１０に記載のショートメッセージ送信システム。
【請求項１２】
利用者の操作する携帯端末装置の電話番号と、確認情報と、確認処理実行ページのＵＲＬと、を対応付けて記憶する確認情報記憶手段、を備えるショートメッセージ送信サーバにおいて、
前記携帯端末装置による着信から前記携帯端末装置の電話番号を取得する利用者電話番号取得ステップと、
前記携帯端末装置の電話番号に対応付けられた前記確認情報および前記ＵＲＬを前記確認情報記憶手段から取得する確認情報取得ステップと、
前記確認情報取得ステップによって取得した前記確認情報に基づき前記利用者に確認すべき情報があるか否かを判断する確認情報判断ステップと、
前記確認情報判断ステップによって前記確認すべき情報があると判断した場合に、前記携帯端末装置の電話番号に対応付けられた前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、
を含むことを特徴とするショートメッセージ送信方法。
【請求項１３】
利用者の操作する携帯端末装置による着信から前記携帯端末装置の電話番号を取得する電話番号取得ステップと、
前記携帯端末装置の電話番号に対応付けられた確認情報を確認要求サーバに問合せする確認情報問合ステップと、
前記確認情報問合ステップによって問合せた前記確認情報に基づき前記利用者に確認すべき情報があるか否かを判断する確認情報判断ステップと、
前記確認すべき情報に応じた確認処理実行ページのＵＲＬを確認処理実行サーバから取得するＵＲＬ取得ステップと、
前記ＵＲＬ取得ステップによって取得した前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、を含み、
前記確認ショートメッセージ生成ステップは、前記確認情報判断ステップによって前記確認すべき情報があると判断した場合に、前記確認ショートメッセージを生成すること、
を特徴とするショートメッセージ送信方法。
【請求項１４】
利用者の操作する携帯端末装置の電話番号と、確認情報と、確認処理実行ページのＵＲＬと、を対応付けて記憶する確認情報記憶手段、を備えるコンピュータに、
前記携帯端末装置による着信から前記携帯端末装置の電話番号を取得する利用者電話番号取得ステップと、
前記携帯端末装置の電話番号に対応付けられた前記確認情報および前記ＵＲＬを前記確認情報記憶手段から取得する確認情報取得ステップと、
前記確認情報取得ステップによって取得した前記確認情報に基づき前記利用者に確認すべき情報があるか否かを判断する確認情報判断ステップと、
前記確認情報判断ステップによって前記確認すべき情報があると判断した場合に、前記携帯端末装置の電話番号に対応付けられた前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、
を実行させることを特徴とするショートメッセージ送信プログラム。
【請求項１５】
コンピュータに、
利用者の操作する携帯端末装置による着信から前記携帯端末装置の電話番号を取得する電話番号取得ステップと、
前記携帯端末装置の電話番号に対応付けられた確認情報を確認要求サーバに問合せする確認情報問合ステップと、
前記確認情報問合ステップによって問合せた前記確認情報に基づき前記利用者に確認すべき情報があるか否かを判断する確認情報判断ステップと、
前記確認すべき情報に応じた確認処理実行ページのＵＲＬを確認処理実行サーバから取得するＵＲＬ取得ステップと、
前記ＵＲＬ取得ステップによって取得した前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、を実行させ、
前記確認ショートメッセージ生成ステップは、前記確認情報判断ステップによって前記確認すべき情報があると判断した場合に、前記確認ショートメッセージを生成すること、
を特徴とするショートメッセージ送信プログラム。
【発明の詳細な説明】
【技術分野】
【０００１】
本発明は、ショートメッセージ送信サーバ、ショートメッセージ送信システム、ショートメッセージ送信方法およびショートメッセージ送信プログラムに関する。
【背景技術】
【０００２】
近年、スマートフォンなどの移動体通信端末に対しメールサービスやショートメッセージサービス（以下、ＳＭＳという）を利用して各種料金や商品購入の決済等の重要な処理を求めることが多くなってきた。しかしながら、メールやショートメッセージは詐欺などでも使用されることがあるため、利用者に不信感を抱かれ、正当な支払い要求であっても、決済の完了率は低く利用が進まない状況があった。
【０００３】
ＳＭＳを利用した技術として、ＳＭＳから利用者のモバイル端末に認証コードを含むショートメッセージを受付けた後に認証コードをＳＭＳに返信し、モバイル端末から返信された認証コードとＳＭＳが送信した認証コードとが一致するか否かを判断することによって処理の安全性を向上させる技術を開示している（特許文献１参照）。
【先行技術文献】
【特許文献】
【０００４】
【特許文献１】特表２０１４−５２４６２２号公報
【発明の概要】
【発明が解決しようとする課題】
【０００５】
しかしながら、上述した公報では、支払いを求めるシステム側の安全性は向上するものの、そもそも利用者がショートメッセージの内容を信頼しショートメッセージに対し応答すること、さらに処理の完了率を向上することが難しいという問題があった。
【０００６】
本発明は、上記を鑑みてなされたものであり、利用者がショートメッセージの内容に対し応答しやすくすることができるショートメッセージ送信サーバ、ショートメッセージ送信システム、ショートメッセージ送信方法およびショートメッセージ送信プログラムを提供することを目的とする。
【課題を解決するための手段】
【０００７】
上述した課題を解決するために、本発明では、利用者の操作する携帯端末装置による着信から携帯端末装置の電話番号を取得し、携帯端末装置の電話番号に対応付けられた確認情報および確認処理実行ページのＵＲＬを確認情報記憶手段から取得し、取得した確認情報に基づき利用者に確認すべき情報があるか否かを判断し、確認すべき情報があると判断した場合に、携帯端末装置の電話番号に対応付けられたＵＲＬを含むショートメッセージである確認ショートメッセージを生成し、生成した確認ショートメッセージを携帯端末装置の電話番号を宛先として送信することを特徴とする。
【発明の効果】
【０００８】
上記のように構成した本発明によれば、利用者は自身が発信した通話の電話番号に対応付けられた確認情報を確認したうえで確認処理を実行するウェブページのＵＲＬを含むショートメッセージを受け取ることになるため、利用者がショートメッセージの内容に対し応答しやすくすることができるという効果を奏する。
【図面の簡単な説明】
【０００９】
【図１】本実施例にかかるショートメッセージ送信システム１０の構成図である。
【図２】確認情報記憶部１１０のデータ構成の一例を示す説明図である。
【図３】電話番号記憶部１２０のデータ構成の一例を示す説明図である。
【図４】ショートメッセージ送信システム１０が実行するショートメッセージ送信処理手順を示すフローチャートである。
【図５】ショートメッセージ送信システム１０が実行するショートメッセージ送信処理手順を示すフローチャートである。
【図６】通知ショートメッセージの一例を示す説明図である。
【図７】確認ショートメッセージの一例を示す説明図である。
【発明を実施するための形態】
【００１０】
以下、添付図面を参照し、本発明の実施例を説明する。なお以下の説明は実施の形態の一例であり、本発明はこれらの実施例に限定されるものではない。
【００１１】
図１は、本実施例にかかるショートメッセージ送信システム１０の構成図である。図１に示すように、ショートメッセージ送信システム１０は、ショートメッセージ送信サーバ（以下、ＳＭ送信サーバという）１００と、複数の確認要求サーバ２００−１〜ｎと、携帯端末装置３００とを、ネットワークＮを介して互いに通信可能に接続する。ネットワークＮは、一部または全部が有線あるいは無線であり、インターネット、イントラネット、ＬＡＮ（Local Area Network）、移動体通信網等の通信ネットワークである。
【００１２】
ＳＭ送信サーバ１００は、ショートメッセージを携帯端末装置３００との間で送受信するとともに、携帯端末装置３００からの着信に対し自動音声で応答する。ＳＭ送信サーバ１００は、確認要求サーバ２００−１〜ｎとの間でデータを送受信する。
【００１３】
ＳＭ送信サーバ１００の構成について説明する。ＳＭ送信サーバ１００は、確認情報記憶部１１０、電話番号記憶部１２０、通知制御部１０１、確認実行ページ取得部１０２、通知ショートメッセージ生成部（以下、通知ＳＭ生成部という）１０３、利用者電話番号取得部１０４、自動音声応答部１０５、確認情報取得部１０６、確認情報判断部１０７、確認ショートメッセージ生成部（以下、確認ＳＭ生成部という）１０８を備える。
【００１４】
図２は、確認情報記憶部１１０のデータ構成の一例を示す説明図である。確認情報記憶部１１０は、利用者に対する確認すべき事項に関連する情報を記憶する。図２では、一例として、利用者ごとの支払いに関する情報を記憶する。利用者ごとの支払いに関する情報を記憶する場合は、確認情報記憶部１１０は、確認者名と、宛先と、確認情報として、氏名と、支払い内容と、支払い金額と、支払い済みか未払いかの情報と、ウェブページを指示したか否かの情報と、その他の情報とを対応付けて記憶する。
【００１５】
ここで、確認者名は、ＳＭ送信サーバ１００に対し利用者それぞれの確認情報を確認するためのショートメッセージの送信を依頼する企業や個人等の名称や確認者コード等であり、確認者を識別できる情報であればどのような情報でもよい。宛先は、確認者である企業等が確認情報を確認しようとする利用者の携帯端末装置３００に送信するショートメッセージの宛先、すなわち携帯端末装置３００の電話番号である。氏名は、携帯端末装置３００の利用者の氏名である。支払い内容は、例えば＊＊＊料金等の支払いの具体的内容である。支払い金額は、利用者が支払うべき各種料金や購入商品等の金額である。
【００１６】
支払い済みか未払いかの情報は、利用者が既に支払いを済ませたか否かの情報であり、確認処理を実行したか否かを管理する。このような情報を管理することにより二重支払いも防止することができる。ウェブページを指示したか否かの情報は、確認要求サーバ２００が求める処理（例えば決済処理）を実行するウェブページのＵＲＬ（Uniform Resource Locator）を指示したか否かを示す。このような情報を取得し格納するによって利用者が処理を認識し指示したか否かの証拠を保全することができる。その他の情報として、支払い対象や購入日時、購入場所等を記憶してもよい。
【００１７】
図３は、電話番号記憶部１２０のデータ構成の一例を示す説明図である。電話番号記憶部１２０は、確認者名ごとの電話番号を記憶する。電話番号記憶部１２０は、確認者名と、電話番号と、その他の情報とを対応付けて記憶する。ここで、電話番号は、利用者がショートメッセージで通知された内容を確認するために利用者の携帯端末装置３００が発信する電話番号であり、確認者ごとに異なる電話番号を記憶する。
【００１８】
通信制御部１０１は、確認要求サーバ２００から送信されたショートメッセージの宛先（電話番号）と宛先ごとの確認情報と確認者名を受信し確認情報記憶部１１０に格納する。通信制御部１０１は、ショートメッセージを宛先である携帯端末装置３００に送信する。通信制御部１０１は、携帯端末装置３００から発信された音声通話を着信し、携帯端末装置３００に対し音声応答する。
【００１９】
確認実行ページ取得部１０２は、利用者それぞれの確認情報に対応した確認実行ページを取得し確認情報記憶部１１０に格納する。例えば利用者の確認情報が支払い情報である場合は、図示しない決済サーバに利用者ごとの決済ページの生成をリクエストし、決済サーバが生成した利用者ごとの決済ページのＵＲＬをネットワークＮを介して取得し確認情報記憶部１１０に格納する。
【００２０】
通知ＳＭ生成部１０３は、確認情報記憶部１１０に記憶する宛先（電話番号）と確認情報からショートメッセージ（以下、通知ショートメッセージという）を生成する。通知ショートメッセージは、利用者に確認情報（例えば支払い情報）を通知するものであり、確認情報記憶部１１０に記憶する確認情報を定型フォーマットで成形してメッセージを生成する。
【００２１】
利用者電話番号取得部１０４は、通信制御部１０１に着信した携帯端末装置３００の通話信号から携帯端末装置３００の電話番号を取得する。
【００２２】
自動音声応答部１０５は、携帯端末装置３００から発信され着信した音声通話に対し応答手順を定義したプログラム（いわゆるコールフロー）に従い、携帯端末装置３００に対し音声によって応答する。
【００２３】
確認情報取得部１０６は、利用者電話番号取得部１０４によって取得した電話番号（宛先）に対応付けられた確認情報を確認情報記憶部１１０から取得する。
【００２４】
確認情報判断部１０７は、確認情報取得部１０６によって取得した確認情報に基づき利用者に通知すべき情報が存在するか否かを判断する。
【００２５】
確認ＳＭ生成部１０８は、確認情報判断部１０７によって利用者に通知すべき情報が存在すると判断した場合は、確認情報に基づいた処理を実行させるためのショートメッセージ（以下、確認ショートメッセージという）を生成する。
【００２６】
確認要求サーバ２００−１〜ｎは、種々の確認情報に対する利用者による対応を求める企業や個人等（いわゆる確認者）が操作する複数のサーバである（以下、確認要求サーバ２００−１〜ｎのうちの１つを確認要求サーバ２００と記す）。具体的には、利用者それぞれの確認情報に対する処理を利用者に実行させるためのショートメッセージを利用者に送信することをＳＭ送信サーバ１００に依頼する。確認要求サーバ２００は、利用者に関する確認情報を記憶する確認情報記憶部２１０を備える。確認情報記憶部２１０のデータ構成の一例は、図２に示す確認情報記憶部１１０のデータ構成の確認者名を除いたものとなる。また確認要求サーバ２００には、それぞれの操作者を識別するための確認者名が付されている。
【００２７】
携帯端末装置３００は、利用者が操作する、スマートフォン、携帯電話、その他の装置であり、ショートメッセージの送受信が可能で、かつ音声通話が可能であれば、どのような情報処理装置でもよい。
【００２８】
上述のように構成されたショートメッセージ送信システム１０のＳＭ送信サーバ１００、確認要求サーバ２００、携帯端末装置３００で実行するショートメッセージ送信処理について説明する。図４、図５は、ショートメッセージ送信システム１０が実行するショートメッセージ送信処理手順を示すフローチャートである。
【００２９】
まず確認要求サーバ２００は、ＳＭ送信サーバ１００にショートメッセージによる確認を依頼する確認情報を確認情報記憶部２１０から取得し、利用者に通知するショートメッセージの宛先（電話番号）と確認情報と確認者名をＳＭ送信サーバ１００に送信する（ステップＳ４０１）。このとき、確認処理が完了している宛先（電話番号）と確認情報は除いて送信する。例えば、“支払済・未払い”の項目が“支払済”である確認情報はＳＭ送信サーバ１００に送信しない。なお複数の宛先と確認情報を一度に送信してもよい。
【００３０】
ＳＭ送信サーバ１００の通信制御部１０１は、ショートメッセージの宛先（電話番号）と確認情報と確認者名を確認要求サーバ２００から受信する（ステップＳ４０２）。通信制御部１０１は、ショートメッセージの宛先（電話番号）と確認情報を確認者名とともに確認情報記憶部１１０に格納する（ステップＳ４０３）。確認実行ページ取得部１０２は、確認情報に対応した確認実行ページのＵＲＬを取得する（ステップＳ４０４）。具体的には、確認情報が支払い情報である場合は、図示しない決済サーバに確認情報ごとの決済ページの生成をリクエストし、決済サーバが生成した利用者ごとの決済ページのＵＲＬを取得する。確認実行ページ取得部１０２は、取得した確認実行ページのＵＲＬを宛先に対応付けて確認情報記憶部１１０に格納する（ステップＳ４０５）。
【００３１】
通知ＳＭ生成部１０３は、確認情報記憶部１１０から確認情報を取得する（ステップＳ４０６）。通知ＳＭ生成部１０３は、確認情報の確認者名に対応付けられた電話番号を電話番号記憶部１２０から取得する（ステップＳ４０７）。通知ＳＭ生成部１０３は、電話番号と確認情報を含む通知ショートメッセージを生成する（ステップＳ４０８）。図６は、通知ショートメッセージの一例を示す説明図である。図６に示す通知ショートメッセージ例は、利用者に対する＊＊料金の支払いを通知するメッセージである。確認情報の一例である、利用者名、支払い内容、支払い金額、利用者が確認ショートメッセージを受取るために電話する電話番号、確認者名である会社名から定型フォーマットに従い、図６に示すような通知メッセージを生成する。ショートメッセージで送信可能な文字数に収まれば、その他の情報を加えてもよく、また上記確認情報のすべてを含まなくてもよい。通信制御部１０１は、宛先（電話番号）に通知ショートメッセージを送信する（ステップＳ４０９）。
【００３２】
携帯端末装置３００は、通知ショートメッセージをＳＭ送信サーバ１００から受信する（ステップＳ４１０）。携帯端末装置３００は、利用者の指示により通知ショートメッセージに含まれた電話番号に発信する（ステップＳ４１１）。
【００３３】
ＳＭ送信サーバ１００の通信制御部１０１は、携帯端末装置３００から発信された音声通話を着信する（ステップＳ４１２）。利用者電話番号取得部１０４は、携帯端末装置３００の通話から電話番号を取得する（ステップＳ４１３）。通信制御部１０１は、通話を自動音声応答部１０５に接続する（ステップＳ４１４）。確認情報取得部１０６は、電話番号に対応付けられた確認情報を確認情報記憶部１１０から取得する（ステップＳ４１５）。
【００３４】
確認情報判断部１０７は、利用者に対し確認情報を確認する必要があるか否かを判断する（ステップＳ４１６）。例えば、自動音声応答の電話番号に発信した利用者に対し支払いに関する情報を通知する必要があるか否かを判断する場合は、利用者の電話番号に対応付けられた確認情報が存在するか否かを判断し、さらに支払い済みか未払いかを判断する。
【００３５】
確認情報判断部１０７は利用者に対し確認情報を確認する必要がないと判断した場合（ステップＳ４１６：Ｎｏ）、自動音声応答部１０５は確認不要である旨を音声で応答する（ステップＳ４１７）。確認情報判断部１０７は、利用者に対し確認情報を確認する必要があると判断した場合（ステップＳ４１６：Ｙｅｓ）、自動音声応答部１０５は確認必要である旨と確認ショートメッセージを送信する旨を音声で応答する（ステップＳ４１８）。
【００３６】
携帯端末装置３００は、ＳＭ送信サーバ１００から自動音声で応答された確認に関する音声を出力する（ステップＳ４１９）。
【００３７】
ＳＭ送信サーバ１００の確認ＳＭ生成部１０８は、確認ショートメッセージを生成する（ステップＳ４２０）。確認ショートメッセージには、確認処理ページのＵＲＬと確認情報を含む。図７は、確認ショートメッセージの一例を示す説明図である。図７に示すショートメッセージは、利用者に対する＊＊料金の支払い処理を実行するウェブページのＵＲＬであるhttp://xxx.lu/ABCDE2（またはhttps://xxx.lu/ABCDE2）を含む。ウェブページのＵＲＬは、＊＊料金の決済サーバの決済用ページを示す。利用者名、支払い内容、支払い金額、ウェブページのＵＲＬ、会社名を定型フォーマットに従い、確認ショートメッセージを生成する。通信制御部１０１は、確認ショートメッセージを宛先（電話番号）に送信する（ステップＳ４２１）。
【００３８】
携帯端末装置３００は、確認ショートメッセージをＳＭ送信サーバ１００から受信する（ステップＳ４２２）。携帯端末装置３００は、確認ショートメッセージに含まれたウェブページのＵＲＬの指示を受付ける（ステップＳ４２３）。携帯端末装置３００は、ウェブページのＵＲＬの指示をＳＭ送信サーバ１００に送信する（ステップＳ４２４）。
【００３９】
ＳＭ送信サーバ１００の通信制御部１０１は、ウェブページのＵＲＬの指示を受信する（ステップＳ４２５）。通信制御部１０１は、ウェブページの指示を確認情報記憶部１１０に格納する（ステップＳ４２６）。
【００４０】
携帯端末装置３００は、ウェブページから確認処理を実行する（ステップＳ４２７）。確認処理が＊＊料金の支払いである場合は、ウェブページは確認処理サーバの決済ページであるため、決済ページに必要事項を入力することによって＊＊料金の支払いが完了する。また必要事項を初回や事前に決済サーバに記憶させている場合はウェブページでの確認のみで支払いを完了させることもできる。携帯端末装置３００は、確認処理の完了を図示しない確認処理サーバから受信する（ステップＳ４２８）。携帯端末装置３００は、確認処理の完了をＳＭ送信サーバ１００に送信する（ステップＳ４２９）。携帯端末装置３００は、確認処理の完了を表示する（ステップＳ４３０）。
【００４１】
ＳＭ送信サーバ１００の通信制御部１０１は、確認処理の完了を携帯端末装置３００から受信する（ステップＳ４３１）。通信制御部１０１は、確認処理の完了を確認情報記憶部１１０に格納する（ステップＳ４３２）。通信制御部１０１は、確認情報記憶部１１０に記憶した宛先（電話番号）と確認情報、より具体的には宛先に対応付けられたウェブページの指示および確認処理の完了を確認者名に対応する確認要求サーバ２００に送信する（ステップＳ４３３）。なお確認要求サーバ２００への確認情報の送信は、所定期間ごとにまとめて送信してもよい。
【００４２】
確認要求サーバ２００は、宛先（電話番号）と確認情報をＳＭ送信サーバ１００から受信する（ステップＳ４３４）。確認要求サーバ２００は、宛先に対応付けて確認情報を確認情報記憶部２１０に格納する（ステップＳ４３５）。
【００４３】
このように、様々な確認処理にＳＭＳのショートメッセージを利用することによって宛先が電話番号であることから、携帯電話サービスを提供する通信事業者（キャリア）を変更しても電話番号は変更しないことが多いため、確認情報を確実に利用者に届けることができる。一連の確認処理に郵送等のアナログな手続きを必要とせずネット上の処理で完結するため、手続きを簡便に完了することができる。また利用者にとっても、詐欺メールや詐欺メッセージと異なり、利用者の電話番号に対応する確認情報を自動音声応答で確認することができるため、利用者が安心して確認処理を実行することができる。なお上述した実施例では、ＳＭＳを用いた処理として説明したが、ＳＭＳだけでなく、宛先が電話番号であるＭＭＳ（Multimedia Messaging Service）やＲＣＳ（Rich Communication Service）、その他のサービスであってもよい。
【００４４】
上述した実施例の具体例としては、電話料金や公共料金等の支払いや商品購入・サービス購入等での支払いへの利用が考えられる。また保険会社等の契約約款の変更等利用者に変更内容の確認を依頼する場合に利用してもよい。利用者が確認処理ページを指示した際に、確認処理ページを指示したことがＳＭＳ送信サーバ１００に通知され確認情報記憶部１１０に格納され、さらに確認要求サーバ２００に送信されるため、利用者が内容を確認したか否かのエビデンスも取ることができる。さらに、決済等の確認処理が完了した場合もＳＭＳ送信サーバ１００に通知され確認情報記憶部１１０に格納され、さらに確認要求サーバ２００に送信されるため、利用者が処理を実行したか否かを管理することができる。なおウェブページを指示した旨や確認処理が完了した旨を格納する際に、格納日時等をさらに記憶してもよい。
【００４５】
他の実施例として、ＳＭ送信サーバ１００から通知ショートメッセージを携帯端末装置３００に送信する処理（図４のステップＳ４０１〜ステップＳ４１０）を実行することに代えて、利用者が電話料金や公共料金等の支払いや商品購入・サービス購入等のためのウェブページに示された電話番号を携帯端末装置３００から発信してもよい。その後の処理は、ステップＳ４１１以降と同様となる。これにより、ＳＭ送信サーバ１００から送信されたショートメッセージがきっかけではなく確認処理が利用者のアクションから開始されるため、利用者はより安心して処理を進めることができる。
【００４６】
また他の実施例として、オペレータとの通話から自動音声応答に接続してもよい。その後の必要な処理を自動音声応答で対応することができる。具体的には、利用者の電話番号を引き継いだうえでステップＳ４１４に接続する。これにより、オペレータを介する業務フローにおいても上記処理を利用することができる。
【００４７】
上述した実施例では、利用者ごとの確認情報を確認要求サーバ２００からＳＭ送信サーバ１００に送信し確認情報記憶部１１０に格納したうえで（ステップＳ４０１〜ステップＳ４０３）、電話番号を取得した際に、電話番号に対応付けられた確認情報を確認情報記憶部１１０から取得する（ステップＳ４１５）処理を実行しているが、それに代えて、電話番号を取得した際に（ステップＳ４１３）、電話番号に対応付けられた確認情報を確認要求サーバ２００に問合せ、確認要求サーバ２００の情報記憶部２１０から確認情報を取得し、ＳＭ送信サーバ１００に送信してもよい。
【００４８】
またステップＳ４０８で通知ショートメッセージを生成する場合、通知内容にこのような利用者への通知ショートメッセージの送信を停止するオプトアウトの内容を加えたショートメッセージを生成してもよい。ショートメッセージは、キャリアや携帯端末装置３００の機種によって文字数が送信可能な最大文字数が異なるため、通知ショートメッセージにオプトアウトの内容を加えたショートメッセージが最大文字数に収まれば、１つのメッセージで送信し、文字数が送信可能な最大文字数に収まらない場合には、２つのメッセージに分けて送信する。オプトアウトのメッセージには、オプトアウトを可能にするＵＲＬを記述し、利用者がそのＵＲＬを指示してオプトアウトを実行するほか、オプトアウトを可能にする電話番号を記述し、利用者がその電話番号に発信した場合には、自動音声で応答し、利用者の電話番号を送信不可リストに登録することにより、オプトアウトを実行する。
【００４９】
ショートメッセージを２つに分けて送信する場合は、利用者の電話番号から１つめのショートメッセージを受信した旨が情報端末装置３００から送信された後に、２つめのオプトアウトのメッセージを送信してもよい。また自動音声応答において依頼された場合にオプトアウトのショートメッセージを送信するようにしてもよい。
【００５０】
他の実施例として、予め利用者との間で定めた認証コード（例えば４桁の数字）を確認情報記憶部１１０に格納しておき、自動音声応答に接続した場合に利用者に要求してもよい。これにより、確認要求サーバ２００で対象としている利用者が携帯端末装置３００を操作する利用者と同一人物であることをより確実に確認することができ、セキュリティが向上する。また利用者が認証コードを忘れ、３回を超えて間違った場合には処理を中断したり、オペレータの対応に切り替える処理としてもよい。
【００５１】
なお上述したショートメッセージは、ＳＭＰＰ（Short Message Peer-to-Peer）、ＳＭＴＰ（Simple Mail Transfer Protocol）、ＨＴＴＰ等の通信プロトコルを用いて、中間サーバを経由し、または中間サーバを経由せずに、宛先に対応するキャリアのショートメッセージサーバから宛先の携帯端末装置３００に送信される。
【００５２】
上述した実施例では、ウェブページのＵＲＬをそのままショートメッセージに記述したが、ＵＲＬの文字数が多い場合は、短縮ＵＲＬを生成し、生成した短縮ＵＲＬをショートメッセージに記述してもよい。
【００５３】
また、ショートメッセージの宛先の携帯端末装置３００が、物理的な移動体通信網を自社で持たず他の事業者から借りて通信サービスを提供するＭＶＮＯ（Mobile Virtual Network Operator（仮想移動体通信事業者））を利用している場合でも、上述した処理を実行することができる。
【００５４】
上述した実施例にかかるＳＭ送信サーバ１００、確認要求サーバ２００、携帯端末装置３００のハードウェア構成は、ＣＰＵ（Central Processing Unit）、ＲＯＭ（Read Only Memory）やＲＡＭ（Random Access Memory）、ＨＤＤ（Hard Disk Drive）等の外部記憶装置、通信制御装置等を備えた通常のコンピュータであり、ＲＯＭやＲＡＭ、ＨＤＤ等に記憶されたプログラムをＣＰＵが読み出し動作させることによって、上述した構成や機能を実現する。
【００５５】
ＳＭ送信サーバ１００、確認要求サーバ２００、携帯端末装置３００で動作するプログラムは、インターネット等のネットワークＮに接続されたコンピュータ上に格納しておき、ネットワークＮ経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムは、ＡＰＩ（Application Programming Interface）やＳａａＳ（Software as a Service）、クラウドコンピューティングという利用形態で提供してもよい。
【００５６】
なお、本発明は、上述した実施例そのままに限定されるものではなく、必ずしも物理的に図示のように構成されている必要はない。また、本発明は、実施例で説明した構成要素の全部または一部を、各種の負荷や使用状況などに応じ、任意の単位で機能的または物理的に分割、統合、入替、変形または削除して構成することができる。
【符号の説明】
【００５７】
Ｎ…ネットワーク、１０…ショートメッセージ送信システム、１００…ＳＭ送信サーバ、１０１…通信制御部、１０２…確認実行ページ取得部
、１０３…通知ＳＭ生成部、１０４…利用者電話番号取得部、１０５…自動音声応答部、１０６…確認情報取得部、１０７…確認情報判断部、１０８…確認ＳＭ生成部、１１０…確認情報記憶部、１１０…電話番号記憶部、２００…確認要求サーバ、２１０…確認情報記憶部、３００…携帯端末装置
【図１】
2019086920.tif 000003
【図２】
2019086920.tif 000004
【図３】
2019086920.tif 000005
【図４】
2019086920.tif 000006
【図５】
2019086920.tif 000007
【図６】
2019086920.tif 000008
【図７】
2019086920.tif 000009
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
利用者の操作する携帯端末装置に対しショートメッセージを送信するショートメッセージ送信サーバであって、
前記携帯端末装置の電話番号と、前記利用者の応答状況を含む確認情報と、確認処理実行ページのＵＲＬと、を対応付けて記憶する確認情報記憶手段と、
前記確認情報記憶手段に記憶する前記携帯端末装置の電話番号を宛先とし、前記ショートメッセージ送信サーバに着信する電話番号を含むショートメッセージである通知ショートメッセージを生成する通知ショートメッセージ生成手段と、
前記通知ショートメッセージ生成手段によって生成した前記通知ショートメッセージを前記宛先に送信する通知ショートメッセージ送信手段と、
前記携帯端末装置による着信から前記携帯端末装置の電話番号を取得する利用者電話番号取得手段と、
前記携帯端末装置の電話番号に対応付けられた前記確認情報および前記ＵＲＬを前記確認情報記憶手段から取得する確認情報取得手段と、
前記確認情報取得手段によって取得した前記確認情報に含まれる前記利用者の応答状況に基づき前記利用者に確認すべき情報があるか否かを判断する確認情報判断手段と、
前記確認情報判断手段によって前記利用者に確認すべき情報があると判断した場合に、前記携帯端末装置の電話番号に対応付けられた前記ＵＲＬを含むショートメッセージである確認ショートメッセージを生成する確認ショートメッセージ生成手段と、
前記確認ショートメッセージ生成手段によって生成した前記確認ショートメッセージを前記携帯端末装置の電話番号を宛先として送信する確認ショートメッセージ送信手段と、
を備えることを特徴とするショートメッセージ送信サーバ。
【請求項２】
前記確認情報取得手段は、前記携帯端末装置の電話番号に対応付けられた確認情報を確認要求サーバに問合せすること、を特徴とする請求項１に記載のショートメッセージ送信サーバ。
【請求項３】
利用者の操作する携帯端末装置に対しショートメッセージを送信するショートメッセージ送信サーバであって、
前記携帯端末装置の電話番号と、前記利用者の応答状況を含む確認情報と、確認処理実行ページのＵＲＬと、を対応付けて記憶する確認情報記憶手段と、
前記携帯端末装置による着信から前記携帯端末装置の電話番号を取得する利用者電話番号取得手段と、
前記携帯端末装置の電話番号に対応付けられた前記確認情報および前記ＵＲＬを前記確認情報記憶手段から取得する確認情報取得手段と、
前記確認情報取得手段によって取得した前記確認情報に含まれる前記利用者の応答状況に基づき前記利用者に確認すべき情報があるか否かを判断する確認情報判断手段と、
前記確認情報判断手段によって前記利用者に確認すべき情報があると判断した場合に、前記利用者に確認すべき情報がある旨、および、確認ショートメッセージを送信する旨を前記携帯端末装置に自動音声で応答し、
前記確認情報判断手段によって前記利用者に確認すべき情報がないと判断した場合に、前記利用者に確認すべき情報がない旨を前記携帯端末装置に自動音声で応答する自動音声応答手段と、
前記自動音声応答手段によって前記利用者に確認すべき情報がある旨を自動音声で応答した場合に、前記携帯端末装置の電話番号に対応付けられた前記ＵＲＬを含むショートメッセージである確認ショートメッセージを生成する確認ショートメッセージ生成手段と、
前記確認ショートメッセージ生成手段によって生成した前記確認ショートメッセージを前記携帯端末装置の電話番号を宛先として送信する確認ショートメッセージ送信手段と、
を備えることを特徴とするショートメッセージ送信サーバ。
【請求項４】
前記自動音声応答手段は、前記携帯端末装置から発信したコールセンターへの通話から接続されること、を特徴とする請求項３に記載のショートメッセージ送信サーバ。
【請求項５】
前記確認情報判断手段は、前記確認情報の有無によって前記利用者に確認すべき情報があるか否かを判断すること、を特徴とする請求項１〜４のいずれか１つに記載のショートメッセージ送信サーバ。
【請求項６】
前記確認情報は、前記携帯端末装置の電話番号に対応付けられた支払い金額と、前記支払い金額が支払い済みか未払いかである情報を含むこと、を特徴とする請求項１〜５のいずれか１つに記載のショートメッセージ送信サーバ。
【請求項７】
前記確認情報は、前記携帯端末装置の電話番号に対応付けられた契約情報と前記契約情報を確認したか未確認かである情報を含むこと、を特徴とする請求項１〜５のいずれか１つに記載のショートメッセージ送信サーバ。
【請求項８】
前記確認ショートメッセージ生成手段は、前記確認ショートメッセージに加えて、オプトアウトメッセージを生成し、
前記確認ショートメッセージ送信手段は、前記確認ショートメッセージに加えて、オプトアウトメッセージを送信すること、を特徴とする請求項１〜７のいずれか１つに記載のショートメッセージ送信サーバ。
【請求項９】
前記ショートメッセージは、ＳＭＳ（Short Message Service）、ＭＭＳ（Multimedia
Messaging Service）、ＲＣＳ（Rich Communication Service）を用いて送信されること、を特徴とする請求項１〜８のいずれか１つに記載のショートメッセージ送信サーバ。
【請求項１０】
利用者の操作する携帯端末装置と、前記携帯端末装置に対しショートメッセージを送信するショートメッセージ送信サーバと、をネットワークを介して接続するショートメッセージ送信システムにおいて、
前記ショートメッセージ送信サーバは、
前記携帯端末装置の電話番号と、前記利用者の応答状況を含む確認情報と、確認処理実行ページのＵＲＬと、を対応付けて記憶する確認情報記憶手段と、
前記確認情報記憶手段に記憶する前記携帯端末装置の電話番号を宛先とし、前記ショートメッセージ送信サーバに着信する電話番号を含むショートメッセージである通知ショートメッセージを生成する通知ショートメッセージ生成手段と、
前記通知ショートメッセージ生成手段によって生成した前記通知ショートメッセージを前記宛先に送信する通知ショートメッセージ送信手段と、
前記携帯端末装置による着信から前記携帯端末装置の電話番号を取得する利用者電話番号取得手段と、
前記携帯端末装置の電話番号に対応付けられた前記確認情報および前記ＵＲＬを前記確認情報記憶手段から取得する確認情報取得手段と、
前記確認情報取得手段によって取得した前記確認情報に含まれる前記利用者の応答状況に基づき前記利用者に確認すべき情報があるか否かを判断する確認情報判断手段と、
前記確認情報判断手段によって前記利用者に確認すべき情報があると判断した場合に、前記携帯端末装置の電話番号に対応付けられた前記ＵＲＬを含むショートメッセージである確認ショートメッセージを生成する確認ショートメッセージ生成手段と、
前記確認ショートメッセージ生成手段によって生成した前記確認ショートメッセージを前記携帯端末装置の電話番号を宛先として送信する確認ショートメッセージ送信手段と、を備え、
前記携帯端末装置は、
前記確認ショートメッセージを前記ショートメッセージ送信サーバから受信する確認ショートメッセージ受信手段と、
前記確認ショートメッセージ受信手段によって受信した前記確認ショートメッセージに含まれる前記ＵＲＬの指示を受付けるＵＲＬ受付手段と、
前記ＵＲＬ受付手段によって前記ＵＲＬの指示を受付けた場合、前記ＵＲＬを指示した旨を前記ショートメッセージ送信サーバに送信するＵＲＬ指示送信手段と、を備え、
前記ショートメッセージ送信サーバは、
前記ＵＲＬを指示した旨を前記携帯端末装置から受信するＵＲＬ指示受信手段と、
前記ＵＲＬを指示した旨を指示情報として前記携帯端末装置の電話番号に対応付けて前記確認情報記憶手段に格納する格納手段と、
を備えることを特徴とするショートメッセージ送信システム。
【請求項１１】
前記携帯端末装置は、
前記ＵＲＬ受付手段に代えて、または加えて、前記ＵＲＬで処理を実行するＵＲＬ処理実行手段と、
前記ＵＲＬ処理実行手段によって前記ＵＲＬで処理を実行した場合、前記ＵＲＬで実行した処理が完了した旨を前記ショートメッセージ送信サーバに送信するＵＲＬ処理送信手段と、を備え、
前記ショートメッセージ送信サーバは、
前記ＵＲＬで実行した処理が完了した旨を前記携帯端末装置から受信するＵＲＬ処理受信手段、を備え、
前記格納手段が、前記ＵＲＬで実行した処理が完了した旨を完了情報として前記携帯端末装置の電話番号に対応付けて前記確認情報記憶手段に格納すること、を特徴とする請求項１０に記載のショートメッセージ送信システム。
【請求項１２】
利用者の操作する携帯端末装置の電話番号と、前記利用者の応答状況を含む確認情報と、確認処理実行ページのＵＲＬと、を対応付けて記憶する確認情報記憶手段、を備えるショートメッセージ送信サーバによって実行されるショートメッセージ送信方法であって、
前記確認情報記憶手段に記憶する前記携帯端末装置の電話番号を宛先とし、前記ショートメッセージ送信サーバに着信する電話番号を含むショートメッセージである通知ショートメッセージを生成する通知ショートメッセージ生成ステップと、
前記通知ショートメッセージ生成ステップによって生成した前記通知ショートメッセージを前記宛先に送信する通知ショートメッセージ送信ステップと、
前記携帯端末装置による着信から前記携帯端末装置の電話番号を取得する利用者電話番号取得ステップと、
前記携帯端末装置の電話番号に対応付けられた前記確認情報および前記ＵＲＬを前記確認情報記憶手段から取得する確認情報取得ステップと、
前記確認情報取得ステップによって取得した前記確認情報に含まれる前記利用者の応答状況に基づき前記利用者に確認すべき情報があるか否かを判断する確認情報判断ステップと、
前記確認情報判断ステップによって前記利用者に確認すべき情報があると判断した場合に、前記携帯端末装置の電話番号に対応付けられた前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、
を含むことを特徴とするショートメッセージ送信方法。
【請求項１３】
利用者の操作する携帯端末装置の電話番号と、前記利用者の応答状況を含む確認情報と、確認処理実行ページのＵＲＬと、を対応付けて記憶する確認情報記憶手段、を備えるショートメッセージ送信サーバによって実行されるショートメッセージ送信方法であって、
前記携帯端末装置による着信から前記携帯端末装置の電話番号を取得する利用者電話番号取得ステップと、
前記携帯端末装置の電話番号に対応付けられた前記確認情報および前記ＵＲＬを前記確認情報記憶手段から取得する確認情報取得ステップと、
前記確認情報取得ステップによって取得した前記確認情報に含まれる前記利用者の応答状況に基づき前記利用者に確認すべき情報があるか否かを判断する確認情報判断ステップと、
前記確認情報判断ステップによって前記利用者に確認すべき情報があると判断した場合に、前記利用者に確認すべき情報がある旨、および、確認ショートメッセージを送信する旨を前記携帯端末装置に自動音声で応答し、
前記確認情報判断ステップによって前記利用者に確認すべき情報がないと判断した場合に、前記利用者に確認すべき情報がない旨を前記携帯端末装置に自動音声で応答する自動音声応答ステップと、
前記自動音声応答ステップによって前記利用者に確認すべき情報がある旨を自動音声で応答した場合に、前記携帯端末装置の電話番号に対応付けられた前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、
を含むことを特徴とするショートメッセージ送信方法。
【請求項１４】
利用者の操作する携帯端末装置の電話番号と、前記利用者の応答状況を含む確認情報と、確認処理実行ページのＵＲＬと、を対応付けて記憶する確認情報記憶手段、を備えるコンピュータに、
前記確認情報記憶手段に記憶する前記携帯端末装置の電話番号を宛先とし、ショートメッセージ送信サーバに着信する電話番号を含むショートメッセージである通知ショートメッセージを生成する通知ショートメッセージ生成ステップと、
前記通知ショートメッセージ生成ステップによって生成した前記通知ショートメッセージを前記宛先に送信する通知ショートメッセージ送信ステップと、
前記携帯端末装置による着信から前記携帯端末装置の電話番号を取得する利用者電話番号取得ステップと、
前記携帯端末装置の電話番号に対応付けられた前記確認情報および前記ＵＲＬを前記確認情報記憶手段から取得する確認情報取得ステップと、
前記確認情報取得ステップによって取得した前記確認情報に含まれる前記利用者の応答状況に基づき前記利用者に確認すべき情報があるか否かを判断する確認情報判断ステップと、
前記確認情報判断ステップによって前記利用者に確認すべき情報があると判断した場合に、前記携帯端末装置の電話番号に対応付けられた前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、
を実行させることを特徴とするショートメッセージ送信プログラム。
【請求項１５】
利用者の操作する携帯端末装置の電話番号と、前記利用者の応答状況を含む確認情報と、確認処理実行ページのＵＲＬと、を対応付けて記憶する確認情報記憶手段、を備えるコンピュータに、
前記携帯端末装置による着信から前記携帯端末装置の電話番号を取得する利用者電話番号取得ステップと、
前記携帯端末装置の電話番号に対応付けられた前記確認情報および前記ＵＲＬを前記確認情報記憶手段から取得する確認情報取得ステップと、
前記確認情報取得ステップによって取得した前記確認情報に含まれる前記利用者の応答状況に基づき前記利用者に確認すべき情報があるか否かを判断する確認情報判断ステップと、
前記確認情報判断ステップによって前記利用者に確認すべき情報があると判断した場合に、前記利用者に確認すべき情報がある旨、および、確認ショートメッセージを送信する旨を前記携帯端末装置に自動音声で応答し、
前記確認情報判断ステップによって前記利用者に確認すべき情報がないと判断した場合に、前記利用者に確認すべき情報がない旨を前記携帯端末装置に自動音声で応答する自動音声応答ステップと、
前記自動音声応答ステップによって前記利用者に確認すべき情報がある旨を自動音声で応答した場合に、前記携帯端末装置の電話番号に対応付けられた前記ＵＲＬを含むショートメッセージである確認ショートメッセージを生成する確認ショートメッセージ生成ステップと、
前記確認ショートメッセージ生成ステップによって生成した前記確認ショートメッセージを前記携帯端末装置の電話番号を宛先として送信する確認ショートメッセージ送信ステップと、
を実行させることを特徴とするショートメッセージ送信プログラム。
【手続補正２】
【補正対象書類名】明細書
【補正対象項目名】０００７
【補正方法】変更
【補正の内容】
【０００７】
上述した課題を解決するために、本発明では、確認情報記憶手段に記憶する携帯端末装置の電話番号を宛先とし、ショートメッセージ送信サーバに着信する電話番号を含むショートメッセージである通知ショートメッセージを生成し、生成した通知ショートメッセージを宛先に送信し、携帯端末装置による着信から携帯端末装置の電話番号を取得し、携帯端末装置の電話番号に対応付けられた確認情報およびＵＲＬを確認情報記憶手段から取得し、取得した確認情報に含まれる利用者の応答状況に基づき利用者に確認すべき情報があるか否かを判断し、利用者に確認すべき情報があると判断した場合に、携帯端末装置の電話番号に対応付けられたＵＲＬを含むショートメッセージである確認ショートメッセージを生成し、生成した確認ショートメッセージを携帯端末装置の電話番号を宛先として送信することを特徴とする。
また、本発明の他の態様では、携帯端末装置による着信から携帯端末装置の電話番号を取得し、携帯端末装置の電話番号に対応付けられた確認情報およびＵＲＬを確認情報記憶手段から取得し、取得した確認情報に含まれる利用者の応答状況に基づき利用者に確認すべき情報があるか否かを判断し、利用者に確認すべき情報があると判断した場合に、利用者に確認すべき情報がある旨、および、確認ショートメッセージを送信する旨を携帯端末装置に自動音声で応答し、利用者に確認すべき情報がないと判断した場合に、利用者に確認すべき情報がない旨を携帯端末装置に自動音声で応答し、利用者に確認すべき情報がある旨を自動音声で応答した場合に、携帯端末装置の電話番号に対応付けられたＵＲＬを含むショートメッセージである確認ショートメッセージを生成し、生成した確認ショートメッセージを携帯端末装置の電話番号を宛先として送信することを特徴とする。